(57)【要約】【課題】テレビ番組を視聴するための設定作業の簡略化する。【解決手段】テレビ受信装置Ａと記録再生装置Ｂとを含む放送視聴システムにおいて、テレビ受信装置Ａと記録再生装置Ｂが、ＨＤＭＩケーブルにより接続されている。記憶再生装置Ｂ側のリモコン装置Ｃを用いて記憶再生装置Ｂ側から制御信号を用いて放送の視聴に必要な設定データを要求し、次いで、テレビ受信装置Ａから記録再生装置Ｂに対して、ＨＤＭＩケーブルを介して、予めテレビ受信装置Ａ側に設定されている放送の視聴に必要なデータを用いて、制御信号により放送の視聴に必要な設定データを応答する。【選択図】図４
2008028829.tif 000002
【特許請求の範囲】
【請求項１】
双方向通信が可能な第１の機器と第２の機器とを含む放送視聴システムであって、
前記第２の機器からの放送の視聴に必要な設定データの要求信号を受けて、該要求データに対応するデータが前記第１の機器のメモリに設定されている場合に、該第１の機器から前記第２の機器に対して前記メモリに設定されている前記データを送る制御を行うことを特徴とする放送視聴システム。
【請求項２】
ＨＤＭＩ規格に基づいて接続されている第１の機器と第２の機器とを含む放送視聴システムであって、
前記第２の機器からの放送の視聴に必要な設定データの要求信号を受けて、該要求データに対応するデータが前記第１の機器のメモリに設定されている場合に、該第１の機器から前記第２の機器に対して、前記メモリに設定されている前記データを送る制御を行うことを特徴とする放送視聴システム。
【請求項３】
前記第２の機器に用いられるリモコン装置であって、放送の視聴に必要な設定データの要求信号を前記第１の機器に対して送出するための視聴に必要な設定データの要求ボタンを有するリモコン装置を有していることを特徴とする請求項１又は２に記載の放送視聴システム。
【請求項４】
前記第１の機器に用いられるリモコン装置であって、放送の視聴に必要な設定データの要求信号を前記第２の機器に対して送出するための視聴に必要な設定データの要求ボタンを有するリモコン装置を有していることを特徴とする請求項１又は２に記載の放送視聴システム。
【請求項５】
前記メモリに設定されている前記放送の視聴に必要な設定データは、地域に関するデータと、放送のチャネルの個別設定に関するデータのうちの少なくともいずれか一方を含むことを特徴とする請求項１から４までのいずれか１項に記載の放送視聴システム。
【請求項６】
前記放送のチャネルの個別設定に関するデータとして、前記リモコンキーに対するチャネルの割り当て設定を含むチャネル個別設定状況リストが作成され前記メモリに記憶されていることを特徴とする請求項５に記載の放送視聴システム。
【請求項７】
前記チャネル個別設定状況リストは、前記リモコンキーに対して、ユーザ設定がなされたか否かに関するフラグを設定可能であることを特徴とする請求項５に記載の放送視聴システム。
【請求項８】
前記フラグの設定に基づいて、前記メモリに記憶されているデータのうち、ユーザ設定がなされた前記リモコンキーのみを選択してデータを送ることを特徴とする請求項７に記載の放送視聴システム。
【請求項９】
前記チャネル個別設定状況リストは、前記リモコンキーと放送のチャネルに対応するサービスＩＤとの組み合わせが設定可能であることを特徴とする請求項５に記載の放送視聴システム。
【請求項１０】
前記チャネル個別設定状況リストは、前記リモコンキーと前記サービスＩＤとの組み合わせに対して、ユーザ設定がなされたか否かに関するフラグを設定可能であることを特徴とする請求項９に記載の放送視聴システム。
【請求項１１】
前記フラグの設定に基づいて、前記メモリに記憶されているデータのうち、ユーザ設定がなされた前記リモコンキーと前記サービスＩＤとの組み合わせのみを選択してデータを送ることを特徴とする請求項９に記載の放送視聴システム。
【請求項１２】
ＨＤＭＩ規格に基づいて接続されている第１の機器と第２の機器とを含む放送視聴システムにおける第１の機器であって、
前記第２の機器からの放送の視聴に必要な設定データの要求信号を受けて、該要求データに対応するデータがメモリに設定されている場合に、前記第２の機器に対して、前記メモリに設定されている前記データを送る制御を行うことを特徴とする第１の機器。
【請求項１３】
ＨＤＭＩ規格に基づいて接続されている第１の機器と第２の機器とを含む放送視聴システムにおける第２の機器であって、
放送の視聴に必要な設定データの要求信号を前記第１の機器に送り、該要求データに対応するデータが前記第１の機器のメモリに設定されている場合に、該メモリに設定されている前記データを受け取って自己のメモリに設定する制御を行うことを特徴とする第２の機器。
【請求項１４】
ＨＤＭＩ規格に基づいて接続されているテレビ受信装置と記録再生装置とを含む放送視聴システムであって、
前記テレビ受信装置又は前記記録再生装置のいずれかからの設定データの要求信号を受けて、要求先の装置において該要求データに対応するデータがメモリに設定されている場合に、要求先の装置から要求元の装置に対して設定されている前記データを送る制御を行うことを特徴とする放送視聴システム。
【請求項１５】
前記テレビ受信装置のメニュー画面において、ＨＤＭＩコントロール機能選択からチャネル設定コピー機能を選択して決定ボタンを押すことにより、チャネル個別設定状況設定リストに基づくデータ転送処理が開始されることを特徴とする請求項１４に記載の放送視聴システム。
【発明の詳細な説明】
【技術分野】
【０００１】
本発明は、放送視聴システムに関し、特に、デジタル放送受信装置及び記録再生装置を含む放送視聴システムに関する。
【背景技術】
【０００２】
複数のデジタル家電機器を接続するための汎用性のある最新の規格として、ＨＤＭＩ規格が定められた。ＨＤＭＩ規格においては、ＣＥＣ（Ｃｏｎｓｕｍｅｒ  Ｅｌｅｃｔｒｏｎｉｃｓ  Ｃｏｎｔｒｏｌ）プロトコルを利用している。このＣＥＣプロトコルを利用して、ＨＤＭＩケーブルで接続された機器同士の連携を図るものである。
【０００３】
【表１】
2008028829.tif 000003
【０００４】
表１は、ＣＥＣコマンドの例を示すものであり、ＣＥＣコマンドは、汎用性を維持するために設けられ各機器又はベンダに依存せずに共通の共通コードと、ベンダが固有に規定することができる自由度をもたせるためのベンダに固有の固有コードと、に大別される。
【０００５】
例えば、デジタル放送受信装置（ＴＶ）と記録再生装置（レコーダ）とをＨＤＭＩケーブルで接続し、ＣＥＣプロトコル（コマンド）を利用して、レコーダの予約をデジタル放送受信装置側からの操作で行うこともできる。
【０００６】
【表２】
2008028829.tif 000004
【０００７】
表２は、放送を視聴するために必要な設定項目を示す表である。地域コード、県域コード等も地域関連の設定と、必要に応じて、地上アナログ放送チャネルの個別設定と、デジタル放送チャネルの個別設定と、を行う。
【０００８】
地上アナログ放送チャネルの個別設定は、例えばリモコンの“１”のキーを押した場合に選局するチャネル、例えば、１〜６２、Ｃ１３〜Ｃ６３のうちのいずれかと、リモコンの“１”のキーを押した場合に表示するチャネル、例えば、１〜６２、Ｃ１３〜Ｃ６３のうちのいずれかと、アップダウン選局キーを押した場合、リモコン“１”キーに対応するチャネルであって番組のないものをスキップするか否かと、リモコンの“１”のキーを押した時に、選局に用いる微調整データ（周波数の±）と、を含む。
【０００９】
デジタル放送（ＢＳ、ＣＳ１１０度、地上デジタル）チャネルの個別設定は、例えばリモコンの“１”のキーを押した時に選局するサービスが割り当てられているか否かと、割り当てられている場合に、リモコン“１”キーを押した場合に選局するサービスＩＤと、を含む。これらは、アナログ放送やデジタル放送の視聴に必要な情報である。これらの項目を機器に設定することにより放送の視聴等の処理が可能になる。
【発明の開示】
【発明が解決しようとする課題】
【００１０】
しかしながら、現在までに発表されている製品においては、図８に示すように、例えば液晶テレビなどのデジタル放送受信装置ＸとＤＶＤレコーダなどの記録再生装置ＹとをＨＤＭＩケーブルで接続し、番組を視聴する場合には、液晶テレビとＤＶＤレコーダとの両方について、それぞれリモコンＺとリモコンＷとを用いて、表２に示すような視聴するための設定項目に同様の設定を行う必要があるという問題があった。
【００１１】
本発明は、視聴するための設定作業の簡略化を目的とする。
【課題を解決するための手段】
【００１２】
本発明の一観点によれば、双方向通信が可能な第１の機器と第２の機器とを含む放送視聴システムであって、前記第２の機器からの放送の視聴に必要な設定データの要求信号を受けて、該要求データに対応するデータが前記第１の機器のメモリに設定されている場合に、該第１の機器から前記第２の機器に対して前記メモリに設定されている前記データを送る制御を行うことを特徴とする放送視聴システムが提供される。
【００１３】
また、ＨＤＭＩ規格に基づいて接続されている第１の機器と第２の機器とを含む放送視聴システムであって、前記第２の機器からの放送の視聴に必要な設定データの要求信号を受けて、該要求データに対応するデータが前記第１の機器のメモリに設定されている場合に、該第１の機器から前記第２の機器に対して、前記メモリに設定されている前記データを送る制御を行うことを特徴とする放送視聴システムが提供される。
【００１４】
上記放送視聴システムによれば、接続先の第１の機器から放送の視聴に必要なデータを受け取るための要求を第２の機器が行うと、要求に対応するデータが第１の機器から転送され、第２の機器に記憶される。
【００１５】
前記第２の機器に用いられるリモコン装置であって、放送の視聴に必要な設定データの要求信号を前記第１の機器に対して送出するための視聴に必要な設定データの要求ボタンを有するリモコン装置を有していることが好ましい。リモコン装置の要求ボタン１つの操作のみで、第２の機器における視聴のためのデータ設定作業を開始することができる。このボタンは、第１の機器側のリモコン装置に設けられていても良い。
【００１６】
前記メモリに設定されている前記放送の視聴に必要な設定データは、地域に関するデータと、放送のチャネルの個別設定に関するデータのうちの少なくともいずれか一方を含むことができる。これらのデータを設定することで、放送視聴に関する基本的な設定が可能である。
【００１７】
前記放送のチャネルの個別設定に関するデータとして、前記リモコンキーに対するチャネルの割り当て設定を含むチャネル個別設定状況リストが作成され前記メモリに記憶されることが好ましい。前記チャネル個別設定状況リストは、前記リモコンキーに対して、ユーザ設定がなされたか否かに関するフラグを設定可能であることが好ましい。
【００１８】
例えば、アナログ放送の場合には、チャネル数とリモコンキーの番号ボタン１〜１２までの数とが略同じであるため、リモコンキーに対してそれぞれ異なるチャネルを割り当てることが可能である。この際、ユーザ設定がなされたか否かを識別するためのフラグをそれぞれに付加することで、データ転送する際の要転送データの目印になる。すなわち、前記フラグの設定に基づいて、前記メモリに記憶されているデータのうち、ユーザ設定がなされた前記リモコンキーのみを選択してデータを送ることが可能である。
【００１９】
前記チャネル個別設定状況リストは、前記リモコンキーと放送のチャネルに対応するサービスＩＤとの組み合わせが設定可能であっても良い。例えば、デジタル放送の場合にはチャネル数も多いため、リモコンキーと放送のチャネルに対応するサービスＩＤとの組み合わせとして設定できるようにするのが好ましい。サービスＩＤは、データ要求の際にリモコンから操作して選択できるようにすると良い。前記チャネル個別設定状況リストは、前記リモコンキーと前記サービスＩＤとの組み合わせに対して、ユーザ設定がなされたか否かに関するフラグを設定可能であることが好ましい。
【００２０】
本発明の他の観点によれば、ＨＤＭＩ規格に基づいて接続されている第１の機器と第２の機器とを含む放送視聴システムにおける第１の機器であって、前記第２の機器からの放送の視聴に必要な設定データの要求信号を受けて、該要求データに対応するデータがメモリに設定されている場合に、前記第２の機器に対して、前記メモリに設定されている前記データを送る制御を行うことを特徴とする第１の機器が提供される。また、ＨＤＭＩ規格に基づいて接続されている第１の機器と第２の機器とを含む放送視聴システムにおける第２の機器であって、放送の視聴に必要な設定データの要求信号を前記第１の機器の送り、該要求データに対応するデータが前記第１の機器のメモリに設定されている場合に、該メモリに設定されている前記データを受け取って自己のメモリに設定する制御を行うことを特徴とする第２の機器が提供される。
【００２１】
また、本発明は、ＨＤＭＩ規格に基づいて接続されているテレビ受信装置と記録再生装置とを含む放送視聴システムであって、前記テレビ受信装置又は前記記録再生装置のいずれかからの設定データの要求信号を受けて、要求先の装置において該要求データに対応するデータがメモリに設定されている場合に、要求先の装置から要求元の装置に対して設定されている前記データを送る制御を行うことを特徴とする放送視聴システムであっても良い。前記テレビ受信装置のメニュー画面において、ＨＤＭＩコントロール機能選択からチャネル設定コピー機能を選択して決定ボタンを押すことにより、チャネル個別設定状況設定リストに基づくデータ転送処理が開始されることが好ましい。
【発明の効果】
【００２２】
本発明によれば、視聴するための設定作業の簡略化が可能である。また、設定済みフラグを設けることで、転送の際のデータ量を少なくすることができる。
【発明を実施するための最良の形態】
【００２３】
以下に、本発明の実施の形態による放送視聴システムについて、ＨＤＭＩ規格に基づくシステムの例にして図面を参照しながら説明を行う。図３は、本実施の形態による放送視聴システムの一構成例を示す図である。図１は、図３に示すシステムのうち接続元電子機器の一例であるデジタル放送を受信可能な液晶テレビジョン装置（以下、デジタル放送受信装置と称する。）の一構成例を示す機能ブロック図である。図２は、図３に示すシステムのうち接続先電子機器の一例であるＤＶＤレコーダ（記録再生装置）の一構成例を示す機能ブロック図である。
【００２４】
上記表１には、ＣＥＣコマンド（コード）の例を示す。表１に示すように、ＣＥＣコマンドは、ＨＤＭＩ規格において共通コードと、ベンダ固有の固有コードと、を含む。ここで、ベンダ固有コードとしては、メニュー設定の転送、番組情報、特殊なリモコンキー、詳細なエラー通知などに関するコードがある。すなわち、レコーダの予約機能は、ベンダにより自由度をもって設定が可能である。
【００２５】
図１に示すように、デジタル放送受信装置Ａは、アンテナ１と、デジタル放送のチューナを含むデジタル放送受信部３と、ＨＤＭＩインターフェイス部５と、ＨＤＭＩ信号処理部７と、デコーダ１１と、リモコン受光部１５と、音声信号の処理を行う音声信号処理部２５と、処理後の音声信号に基づく音声を出力するスピーカ２１と、映像信号の処理を行う映像信号処理部２７と、処理後の映像信号に基づく映像を出力するディスプレイ２３と、これらの各機能ブロックについてバスラインを通して制御する制御部（ＣＰＵ）１７と、下記の処理を行うためのプログラムその他の情報を記憶する記憶部１８と、を有している。
【００２６】
図２に示すように、ＤＶＤレコーダＢは、アンテナ４１と、デジタルチューナ４３と、ＨＤＭＩ信号処理部４５と、制御部４７と、リモコン受光部５１と、記憶部（ＨＤＤ）５３と、ＨＤＭＩインターフェイス部５５と、電子番組表取得部５７と、ＤＶＤなどの光ディスク駆動部６３と、操作部６７と、を有している。
【００２７】
図３は、図１及び図２に示すデジタル放送受信装置ＡのＨＤＭＩ入力端子５とＤＶＤレコーダＢのＨＤＭＩ出力端子５５とをＨＤＭＩケーブルによって接続した様子を示す図である。デジタル放送受信装置ＡとＤＶＤレコーダＢとの間において、矢印に示すように、ＤＶＤレコーダＢからデジタル放送受信装置Ａに向けて映像信号が流れ、デジタル放送受信装置ＡとＤＶＤレコーダＢとの間において制御信号（ＣＥＣコード）は双方向に流れる。機器間における双方向通信を行うことができるＨＤＭＩケーブルを介してＣＥＣコードの制御信号のやり取りに基づいて、機器間における制御処理を行うことができる。
【００２８】
図４は、本実施の形態によるデジタル機器システムの一構成例を示す図であり図３に対応し、例として、テレビ受信装置Ａと記録再生装置Ｂとが、ＨＤＭＩケーブルにより接続されている。この例では、記憶再生装置Ｂ側のリモコン装置Ｃを用いて記憶再生装置Ｂ側から制御信号を用いて設定データを要求し、次いで、テレビ受信装置Ａから記録再生装置Ｂに対して、ＨＤＭＩケーブルを介して、予めテレビ受信装置Ａ側に設定されているデータを用いて、制御信号により設定データを応答する。リモコン装置Ｃには、図示しないが、チャネル設定データの要求信号を接続元装置であるテレビ受信装置Ｂに対して送出するための専用ボタン（例えば、チャネル設定データの要求ボタン）を有しているのが好ましい。同様に、テレビ受信装置Ａ側のリモコンにも同様のボタンが設けられていても良い。
【００２９】
図４の形態とは異なる形態として、テレビ受信装置Ａ側のリモコン装置を用いてテレビ受信装置Ａ側からの制御信号を用いて設定データを要求し、次いで、記録再生装置Ｂからテレビ受信装置Ａに対して、ＨＤＭＩケーブルを介して、予め記録再生装置Ｂ側に設定されているデータを用いて、制御信号により設定データを応答するようにすることも可能であり、両方の方法が可能にしておくことが好ましい。
【００３０】
以下に、より具体的に、チャネル設定の処理の内容について説明する。これらの表の内容は、例えば記憶部１８（図１）、記憶部５３（図２）に記憶される。
【００３１】
【表３】
2008028829.tif 000005
【００３２】
【表４】
2008028829.tif 000006
【００３３】
【表５】
2008028829.tif 000007
【００３４】
【表６】
2008028829.tif 000008
【００３５】
表３は、地上アナログ放送のチャネル個別設定であり、例えば、テレビ受信装置側での設定内容の例を示す表である。表３に示す例では、リモコンキーが“１”から“１２”までである場合に、それぞれのリモコンキー１〜１２までについて、割り当てられている選局チャネル（１〜６２、Ｃ１３〜６３）と、表示チャネル（１〜６２、Ｃ１３〜６３）と、スキップ設定（スキップ又はスキップしない）と、微調整データ（周波数の微調整）と、設定済みフラグ（未又は済み、“０”又は“１”でも良い）とが、ユーザによる設定又は自動設定により設定されている。
【００３６】
表４は、地上アナログ放送のチャネル個別設定状況リストの例を示す表である。ここでは、テレビ受信装置側でどのように設定されているかを示している。表４に示すように、リモコンキー１〜１２までに対して、設定状況として、デフォルト値であるか設定済みであるかが示されている。このようにテーブル化しておくことで、記録再生装置側から要求があった場合に、テレビ受信装置側で設定されたものか、デフォルト値のものかを簡単に識別することができる。そして、記録再生装置側から、設定データの転送要求があった場合には、設定済みの項目のみを転送することにより、転送するべきデータ量を少なくすることができる。或いは、表４に示すデータを記録再生装置側に送ることで、記録再生装置側からの要求を設定済みであるリモコンキーに対応する要求に限定することで、通信量を少なくすることができるとともに、通信に要する時間を短縮することができる。
【００３７】
表５は、デジタル放送（ＢＳ、ＣＳ１１０度、地上デジタル）チャネル個別設定の表であり、表３に対応する表である。表６は、デジタル放送（ＢＳ、ＣＳ１１０度、地上デジタル）チャネル個別設定状況リストであり、表４に対応する表である。表５には、ネットワーク種別としてＢＳの例が示されているが、表にはＣＳ、地上デジタルについても同様のデータが含まれている。表５、６は、表３、４と同様の表であるため、その説明は省略する。
【００３８】
次に、これらの表に示す設定状況における、処理の流れについて図面を参照しながら説明を行う。図５〜図７までは、テレビ受信装置側からみた処理の流れを示すフローチャート図である。例えば、テレビのメニュー表示画面において、ＨＤＭＩコントロール機能選択において、チャネル設定コピー機能を選択し、決定ボタンを押すと、以下の処理が開始される。
【００３９】
ステップＳ１において処理が開始されステップＳ２において、例えばテレビ受信装置に対して記録再生装置側から要求がきたか否かを判定する。要求が来ると（ＹＥＳ）、ステップＳ３に進み、要求は地域コード設定するか否かがが問われ、テレビ受信装置から記録再生装置に対して地域コード設定を応答する（ステップＳ７）。ステップＳ３でＮＯの場合には、ステップＳ４に進み、要求は県域コード設定であるかを判定する。要求が県域コードであれば（Ｙｅｓ）、ステップＳ８において、テレビ受信装置から記録再生装置に対して県域コード設定を応答する。
【００４０】
ステップＳ４でＮＯの場合には、ステップＳ５に進み、要求は郵便番号設定であるかを判定する。要求が郵便番号設定であれば（Ｙｅｓ）、ステップＳ９において、テレビ受信装置から記録再生装置に対して郵便番号設定を応答する。ステップＳ５でＮＯの場合には、ステップＳ６に進み、要求は地域識別設定であるかを判定する。要求が地域識別設定であれば（Ｙｅｓ）、ステップＳ１０において、テレビ受信装置から記録再生装置に対して地域識別設定を応答する。応答後には、ステップＳ２に戻る。以下も同様である。
【００４１】
次いで、ステップＳ６でＮＯの場合には、ステップＳ１１に進み、要求はリモコンキー“Ｘ”に関する地上アナログ放送チャネル個別設定であるかを判定する。要求が地上アナログ放送チャネル個別設定であれば（Ｙｅｓ）、ステップＳ１５において、テレビ受信装置から記録再生装置に対して地上アナログ放送チャネル個別設定を応答する。ステップＳ１１でＮＯの場合には、ステップＳ１２に進み、要求はリモコンキー“Ｘ”に関するＢＳデジタル放送チャネル個別設定であるかを判定する。要求がＢＳデジタル放送チャネル個別設定であれば（Ｙｅｓ）、ステップＳ１６において、テレビ受信装置から記録再生装置に対してＢＳデジタル放送チャネル個別設定を応答する。
【００４２】
次いで、ステップＳ１２でＮＯの場合には、ステップＳ１３に進み、要求はリモコンキー“Ｘ”に関するＣＳ１１０度デジタル放送チャネル個別設定であるかを判定する。要求がＣＳ１１０度デジタル放送チャネル個別設定であれば（Ｙｅｓ）、ステップＳ１７において、テレビ受信装置から記録再生装置に対してＣＳ１１０度デジタル放送チャネル個別設定を応答する。ステップＳ１３でＮＯの場合には、ステップＳ１４に進み、要求はリモコンキー“Ｘ”に関する地上デジタル放送チャネル個別設定であるかを判定する。要求が地上デジタル放送チャネル個別設定であれば（Ｙｅｓ）、ステップＳ１８において、テレビ受信装置から記録再生装置に対して地上デジタル放送チャネル個別設定を応答する。
【００４３】
ステップＳ１４においてＮＯの場合には、ステップＳ１９に進み、要求は地上アナログ放送チャネル個別設定状況リストであるか否かを判定する。要求が地上アナログ放送チャネル個別設定状況リストであれば（Ｙｅｓ）、ステップＳ２３において、テレビ受信装置から記録再生装置に対して地上アナログ放送チャネル個別設定状況リストを応答する。ステップＳ１９でＮＯの場合には、ステップＳ２０に進み、要求はＢＳ放送チャネル個別設定状況リストであるか否かを判定する。要求がＢＳ放送チャネル個別設定状況リストであれば（Ｙｅｓ）、ステップＳ２４において、テレビ受信装置から記録再生装置に対してＢＳ放送チャネル個別設定状況リストを応答する。
【００４４】
ステップＳ２０においてＮＯの場合には、ステップＳ２１に進み、要求はＣＳ１１０度デジタル放送チャネル個別設定状況リストであるか否かを判定する。要求がＣＳ１１０度デジタル放送チャネル個別設定状況リストであれば（Ｙｅｓ）、ステップＳ２５において、テレビ受信装置から記録再生装置に対してＣＳ１１０度デジタル放送チャネル個別設定状況リストを応答する。ステップＳ２１でＮＯの場合には、ステップＳ２２に進み、要求は地上デジタル放送チャネル個別設定状況リストであるか否かを判定する。要求が地上デジタル放送チャネル個別設定状況リストであれば（Ｙｅｓ）、ステップＳ２６において、テレビ受信装置から記録再生装置に対して地上デジタル送チャネル個別設定状況リストを応答する。ステップＳ２２においてＮＯの場合には、ステップＳ２７に進み、該当要求に対する応答が未定義であることを示すエラーを応答する。
【００４５】
以上に説明したように、本実施の形態によれば、テレビ受信装置は、記録再生装置からの要求を受けて、上記表に基づいて説明した内容に基づく応答を行うことにより、テレビ受信装置側の設定を記録再生装置側に反映させることができる。
【産業上の利用可能性】
【００４６】
本発明は、放送視聴システムに利用可能である。
【図面の簡単な説明】
【００４７】
【図１】本発明の一実施の形態による放送視聴システムにおける、接続元電子機器の一例であるデジタル放送を受信可能な液晶テレビジョン装置の一構成例を示す機能ブロック図である。
【図２】図２は、接続先電子機器の一例であるＤＶＤレコーダ（記録再生装置）の一構成例を示す機能ブロック図である。
【図３】本実施の形態による放送視聴システムの一構成例を示す図である。
【図４】本実施の形態による放送視聴システムの一構成例を示す図であり図３に対応し、例として、テレビ受信装置Ａと記録再生装置Ｂとが、ＨＤＭＩケーブルにより接続されている例を示す図である。
【図５】テレビ受信装置側からみた処理の流れを示すフローチャート図である。
【図６】テレビ受信装置側からみた処理の流れを示すフローチャート図である。
【図７】テレビ受信装置側からみた処理の流れを示すフローチャート図である。
【図８】デジタル放送受信装置と記録再生装置をＨＤＭＩケーブルで接続し、番組を視聴する場合における一般的なチャネル設定方法を示す図である。
【符号の説明】
【００４８】
Ａ…デジタル放送受信装置、Ｂ…ＤＶＤレコーダ、１…アンテナ、３…デジタル放送受信部、５…ＨＤＭＩインターフェイス部、７…ＨＤＭＩ信号処理部、１１…デコーダ、１５…リモコン受光部、１７…制御部（ＣＰＵ）、１８…記憶部、２１…スピーカ、２３…ディスプレイ、２５…音声信号処理部、２７…映像信号処理部、４１…アンテナ、４３…デジタルチューナ、４５…ＨＤＭＩ信号処理部、４７…制御部、５１…リモコン受光部、５３…記憶部（ＨＤＤ）、５５…ＨＤＭＩインターフェイス部、５７…電子番組表取得部、６３…光ディスク駆動部、６７…操作部。
【図１】
2008028829.tif 000009
【図２】
2008028829.tif 000010
【図３】
2008028829.tif 000011
【図４】
2008028829.tif 000012
【図５】
2008028829.tif 000013
【図６】
2008028829.tif 000014
【図７】
2008028829.tif 000015
【図８】
2008028829.tif 000016
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
双方向通信が可能な第１の機器と第２の機器とを含む放送視聴システムであって、
前記第１の機器は、放送のチューナを含む放送受信部と、双方向通信インターフェイス部と、双方向通信信号処理部と、映像及び音声信号処理部と、制御部と、メモリと、を有する放送受信装置であり、
前記第２の機器は、放送のチューナと、双方向通信インターフェイス部と、双方向通信信号処理部と、映像及び音声信号処理部と、制御部と、記憶部と、を有する記録再生装置であり、
前記第１の機器の前記メモリ又は前記第２の機器の前記記憶部には、前記放送の視聴に必要な設定データとして、放送のチャネルの個別設定に関するデータが含まれており、
前記第２の機器又は前記第１の機器からの放送の視聴に必要な設定データの要求信号を受けて、該要求データに対応するデータが前記第１の機器又は前記第２の機器の前記メモリ又は前記記憶部に設定されている場合に、前記第１の機器又は前記第２の機器から前記第２の機器又は前記第１の機器に対して前記メモリに設定されている前記データを送る制御を行うことを特徴とする放送視聴システム。
【請求項２】
前記放送のチャネルの個別設定に関するデータとして、前記リモコンキーに対するチャネルの割り当て設定を含むチャネル個別設定状況リストが作成され前記メモリ又は前記記憶部に記憶されていることを特徴とする請求項１に記載の放送視聴システム。
【請求項３】
ＨＤＭＩ規格に基づいて接続されている第１の機器と第２の機器とを含む放送視聴システムであって、
前記第１の機器は、放送のチューナを含む放送受信部と、双方向通信インターフェイス部と、双方向通信信号処理部と、映像及び音声信号処理部と、制御部と、メモリと、を有する放送受信装置であり、
前記第２の機器は、放送のチューナと、双方向通信インターフェイス部と、双方向通信信号処理部と、映像及び音声信号処理部と、制御部と、記憶部と、を有する記録再生装置であり、
前記第１の機器の前記メモリ又は前記第２の機器の前記記憶部には、前記放送の視聴に必要な設定データとして、放送のチャネルの個別設定に関するデータが含まれており、
前記第２の機器又は前記第１の機器からの放送の視聴に必要な設定データの要求信号を受けて、該要求データに対応するデータが前記第１の機器又は前記第２の機器の前記メモリ又は前記記憶部に設定されている場合に、前記第１の機器又は前記第２の機器から前記第２の機器又は前記第１の機器に対して前記メモリ又は前記記憶部に設定されている前記データを送る制御を行うことを特徴とする放送視聴システム。
【請求項４】
前記放送のチャネルの個別設定に関するデータとして、前記リモコンキーに対するチャネルの割り当て設定を含むチャネル個別設定状況リストが作成され前記メモリに記憶されていることを特徴とする請求項４に記載の放送視聴システム。
【請求項５】
前記第２の機器又は前記第１の機器に用いられるリモコン装置であって、放送の視聴に必要な設定データの要求信号を前記第１の機器又は前記第２の機器に対して送出するための視聴に必要な設定データの要求ボタンを有するリモコン装置を有していることを特徴とする請求項１から５までのいずれか１項に記載の放送視聴システム。
【請求項６】
前記チャネル個別設定状況リストは、前記リモコンキーに対して、ユーザ設定がなされたか否かに関するフラグであって、前記フラグの設定に基づいて、前記メモリに記憶されているデータのうち、ユーザ設定がなされた前記リモコンキーのみを選択してデータを送ることを特徴とする請求項２、４、５のいずれか１項に記載の放送視聴システム。
【請求項７】
前記チャネル個別設定状況リストは、前記リモコンキーと放送のチャネルに対応するサービスＩＤとの組み合わせが設定可能であることを特徴とする請求項２、４、５に記載の放送視聴システム。
【請求項８】
前記チャネル個別設定状況リストは、前記リモコンキーと前記サービスＩＤとの組み合わせに対して、ユーザ設定がなされたか否かに関するフラグを設定可能であることを特徴とする請求項７に記載の放送視聴システム。
【請求項９】
前記フラグの設定に基づいて、前記メモリに記憶されているデータのうち、ユーザ設定がなされた前記リモコンキーと前記サービスＩＤとの組み合わせのみを選択してデータを送ることを特徴とする請求項８に記載の放送視聴システム。
【請求項１０】
前記放送受信装置のメニュー画面において、ＨＤＭＩコントロール機能選択からチャネル設定コピー機能を選択して決定ボタンを押すことにより、チャネル個別設定状況設定リストに基づくデータ転送処理が開始されることを特徴とする請求項３から９までのいずれか１項に記載の放送視聴システム。
【請求項１１】
ＨＤＭＩ規格に基づいて接続されている第１の機器と第２の機器とを含む放送視聴システムにおける第１の機器であって、
前記第１の機器は、放送のチューナを含む放送受信部と、双方向通信インターフェイス部と、双方向通信信号処理部と、映像及び音声信号処理部と、制御部と、メモリと、を有する放送受信装置であり、
前記第２の機器は、放送のチューナと、双方向通信インターフェイス部と、双方向通信信号処理部と、映像及び音声信号処理部と、制御部と、記憶部と、を有する記録再生装置であり、
前記第１の機器の前記メモリには、前記放送の視聴に必要な設定データとして、放送のチャネルの個別設定に関するデータが含まれており、
前記第２の機器からの放送の視聴に必要な設定データの要求信号を受けて、該要求データに対応するデータが前記第１の機器の前記メモリに設定されている場合に、前記第１の機器から前記第２の機器に対して前記メモリに設定されている前記データを送る制御を行うことを特徴とする第１の機器。
【請求項１２】
前記放送受信装置のメニュー画面において、ＨＤＭＩコントロール機能選択からチャネル設定コピー機能を選択して決定ボタンを押すことにより、チャネル個別設定状況設定リストに基づくデータ転送処理が開始されることを特徴とする請求項１１に記載の第１の機器。
【請求項１３】
ＨＤＭＩ規格に基づいて接続されている第１の機器と第２の機器とを含む放送視聴システムにおける第２の機器であって、
前記第１の機器は、放送のチューナを含む放送受信部と、双方向通信インターフェイス部と、双方向通信信号処理部と、映像及び音声信号処理部と、制御部と、メモリと、を有する放送受信装置であり、
前記第２の機器は、放送のチューナと、双方向通信インターフェイス部と、双方向通信信号処理部と、映像及び音声信号処理部と、制御部と、記憶部と、を有する記録再生装置であり、
前記第１の機器からの放送の視聴に必要な設定データの要求信号を受けて、該要求データに対応するデータが前記第２の機器の前記記憶部に設定されている場合に、前記第２の機器から前記第１の機器に対して前記記憶部に設定されている前記データを送る制御を行うことを特徴とする第２の機器。
【請求項１４】
前記放送受信装置のメニュー画面において、ＨＤＭＩコントロール機能選択からチャネル設定コピー機能を選択して決定ボタンを押すことにより、チャネル個別設定状況設定リストに基づくデータ転送処理が開始されることを特徴とする請求項１３に記載の放送視聴システム。